(57)【特許請求の範囲】
【請求項１】
各種イベントで撮影された複数の写真のデータに、通信網を介してアクセスし、所望の写真を注文するイベント写真注文システムであって、
特定人物を登録する特定人物登録部と、
前記複数の写真のうち、前記特定人物を示す写真である特定人物写真を抽出する抽出部と、
抽出された前記特定人物写真の数が複数である場合、該複数の前記特定人物写真を、指定された優先項目に従った順番に並べ替えて提示する並べ替え処理を行う表示順制御部と、
並べ替えて提示された前記複数の特定人物写真から所望の写真の注文を受け付ける注文受付部と、
前記注文受付部が受け付けた注文の内容を登録する登録部と、を備え、
前記登録部は、ユーザによる前記特定人物写真の注文がある毎に、該注文の内容を登録し、
登録されている過去の前記注文の内容は、シーンを識別するための情報を含み、
前記表示順制御部は、登録されている過去の前記注文の内容にしたがって、前記複数の特定人物写真を並べ替えて提示する前記並べ替え処理を行う
イベント写真注文システム。
【請求項２】
前記イベント写真注文システムは、さらに、
写真の注文モードを選択するモード選択部を備え、
前記モード選択部が選択する注文モードは、前記並べ替え処理が行われない通常モード、該通常モードより迅速な注文をするためのクイックモード、および、前記登録部により登録された内容を利用するおまかせモードのいずれかである
請求項１に記載のイベント写真注文システム。
【請求項３】
前記表示順制御部は、前記優先項目である、前記特定人物の顔のサイズに基づいて、前記複数の特定人物写真を並べ替えて提示する前記並べ替え処理を行う
請求項１または２に記載のイベント写真注文システム。
【請求項４】
前記表示順制御部は、前記特定人物の顔の大きい順に、前記複数の特定人物写真を並べ替えて提示する前記並べ替え処理を行う
請求項３に記載のイベント写真注文システム。
【請求項５】
前記表示順制御部は、前記優先項目である、前記特定人物写真が示す人物の数に基づいて、前記複数の特定人物写真を並べ替えて提示する前記並べ替え処理を行う
請求項１または２に記載のイベント写真注文システム。
【請求項６】
前記表示順制御部は、人物の数が少ない順に、前記複数の特定人物写真を並べ替えて提示する前記並べ替え処理を行う
請求項５に記載のイベント写真注文システム。
【請求項７】
前記優先項目の数は複数であり、
前記イベント写真注文システムは、さらに、
複数の前記優先項目を用いて、各前記特定人物写真が示す特徴を数値として算出する算出部を備え、
前記表示順制御部は、算出された各数値にしたがって前記並べ替え処理を行う
請求項１〜６のいずれか１項に記載のイベント写真注文システム。
【請求項８】
各種イベントで撮影された複数の写真のデータに、通信網を介してアクセスし、所望の写真を注文するイベント写真注文方法であって、
特定人物を登録するステップと、
前記複数の写真のうち、前記特定人物を示す写真である特定人物写真を抽出するステップと、
抽出された前記特定人物写真の数が複数である場合、該複数の前記特定人物写真を、指定された優先項目に従った順番に並べ替えて提示する並べ替え処理を行うステップと、
並べ替えて提示された前記複数の特定人物写真から所望の写真の注文を受け付けるステップと、
受け付けた前記注文の内容を登録するステップと、を含み、
前記注文の内容を登録するステップでは、ユーザによる前記特定人物写真の注文がある毎に、該注文の内容を登録し、
登録されている過去の前記注文の内容は、シーンを識別するための情報を含み、
前記並べ替え処理を行うステップでは、登録されている過去の前記注文の内容にしたがって、前記複数の特定人物写真を並べ替えて提示する前記並べ替え処理を行う
イベント写真注文方法。
【発明の詳細な説明】
【技術分野】
【０００１】
本発明は、複数の写真を処理するイベント写真注文システムおよびイベント写真注文方法に関する。
【背景技術】
【０００２】
教育施設等の各種イベントにおける子供の様子は、当該教育施設が契約している専属の写真会社の人間が写真を撮影するのが一般的である。ここで、教育施設は、例えば、幼稚園、保育園、小学校等である。そして、当該子供の保護者（親）が、写真を希望する場合は、各自が、写真会社に写真を注文して購入できるようになっていることが多い。
【０００３】
従来の写真の注文方法は、まず、保護者が、当該イベント後の参観日等に教育施設に訪れた際、掲示板、クラスルーム等に掲示された全ての写真見本から購入を希望する写真を選択する。そして、保護者は、予め、教育施設から配布された注文申込書に、希望する写真の番号等を記入して、当該注文申込書を、教育施設に提出する。そして、後日、保護者は、教育施設にて代金と引き換えに写真を受け取るという方法が一般的であった。
【０００４】
一方、最近では、インターネットを利用した写真注文システムが普及している。例えば、写真注文システムでは、保護者が教育施設に行かなくても、自宅のパーソナルコンピュータ（以下、ＰＣともいう）を用いて、当該教育施設のホームページ等から写真見本を見て、希望する写真を注文することが可能である。
【０００５】
例えば、特許文献１では、インターネットを利用して、クラス毎、イベント毎に写真を分類して提示し、希望する写真の検索の範囲を限定する技術（以下、従来技術Ａともいう）が開示されている。当該技術により、発注者は、効率よく写真を注文することが可能となっている。
【先行技術文献】
【特許文献】
【０００６】
【特許文献１】特開２００３−１６２６４５号公報（段落０００５〜００２７）
【発明の概要】
【発明が解決しようとする課題】
【０００７】
しかしながら、従来技術Ａでは、以下のような問題点がある。
【０００８】
具体的には、従来技術Ａでは、クラス毎、イベント毎に写真の分類がされているため、全ての写真の中から写真を選ぶ必要はない。しかしながら、例えば、写真がクラス毎に分類されていたとしても、分類されたクラスの写真の枚数が多い場合もある。
【０００９】
そのため、希望する写真を選択するために、分類された写真の内容を一通り確認するには多くの時間が必要である。その結果、ユーザ（例えば、子供の保護者）は、子供等の特定人物を示す写真を迅速に見つけることができないという問題がある。
【００１０】
本発明は、このような問題を解決するためになされたものであり、特定人物を示す写真を迅速に見つけることを可能とするイベント写真注文システム等を提供することを目的とする。
【課題を解決するための手段】
【００１１】
上記目的を達成するために、本発明の一態様に係るイベント写真注文システムは、各種イベントで撮影された複数の写真のデータに、通信網を介してアクセスし、所望の写真を注文する。イベント写真注文システムは、特定人物を登録する特定人物登録部と、前記複数の写真のうち、前記特定人物を示す写真である特定人物写真を抽出する抽出部と、抽出された前記特定人物写真の数が複数である場合、該複数の前記特定人物写真を、指定された優先項目に従った順番に並べ替えて提示する並べ替え処理を行う表示順制御部と、並べ替えて提示された前記複数の特定人物写真から所望の写真の注文を受け付ける注文受付部と、前記注文受付部が受け付けた注文の内容を登録する登録部と、を備え、前記登録部は、ユーザによる前記特定人物写真の注文がある毎に、該注文の内容を登録し、登録されている過去の前記注文の内容は、シーンを識別するための情報を含み、前記表示順制御部は、登録されている過去の前記注文の内容にしたがって、前記複数の特定人物写真を並べ替えて提示する前記並べ替え処理を行う。
【発明の効果】
【００１２】
本発明によれば、抽出部は、特定人物を示す写真である特定人物写真を抽出する。表示順制御部は、抽出された特定人物写真の数が複数である場合、該複数の特定人物写真を、指定された優先項目に従った順番に並べ替えて提示する並べ替え処理を行う。
【００１３】
これにより、ユーザは、特定人物を示す写真を迅速に見つけることができる。
【図面の簡単な説明】
【００１４】
【図１】実施の形態１に係るイベント写真注文システムの構成を示すブロック図である。
【図２】制御部の特徴的な機能構成を示すブロック図である。
【図３】写真注文処理のフローチャートである。
【図４】表示順制御処理を説明するための図である。
【図５】表示順制御処理を説明するための図である。
【図６】注文情報データベースの一例を示す図である。
【図７】写真内における顔の位置を説明するための図である。
【図８】顔占有サイズをパラメータ化するためのパラメータテーブルの一例を示す図である。
【図９】人数をパラメータ化するためのパラメータテーブルの一例を示す図である。
【発明を実施するための形態】
【００１５】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１６】
＜実施の形態１＞
図１は、実施の形態１に係るイベント写真注文システム１００の構成を示すブロック図である。
【００１７】
図１に示すように、イベント写真注文システム１００は、通信網であるインターネット１１を介して、サーバ２００と通信可能なように接続される。イベント写真注文システム１００は、写真店等に設置されたＰＣ等である。なお、イベント写真注文システム１００は、写真店に限定されず、例えば、自宅に設定されてもよい。
【００１８】
イベント写真注文システム１００は、複数の写真を処理する。本明細書において、写真とは、デジタル画像で表現された写真（写真データ）である。また、本明細書における写真とは、各種イベントで撮影された写真であるイベント写真である。なお、本明細書における写真は、イベント写真に限定されず、例えば、イベントと関係なく撮影された写真であってもよい。
【００１９】
サーバ２００は、複数の写真を管理している。サーバ２００は、例えば、ＰＣである。
【００２０】
イベント写真注文システム１００は、詳細は後述するが、通信網であるインターネット１１を介して、サーバ２００が管理している複数の写真のデータにアクセスし、所望の写真を注文する。
【００２１】
イベント写真注文システム１００は、表示部１１０と、制御部１２０と、記憶部１３０と、通信部１４０と、操作部１５０とを備える。表示部１１０、制御部１２０、記憶部１３０、通信部１４０および操作部１５０の各々は、バス１０を介してデータ通信可能である。
【００２２】
表示部１１０は、例えば、液晶ディスプレイ等である。制御部１２０は、イベント写真注文システム１００内の各部を制御する。制御部１２０は、例えば、ＣＰＵ（Central Processing Unit）等である。記憶部１３０は、データ等を記憶するためのメモリである。通信部１４０は、インターネット１１を介して、サーバ２００と通信する。
【００２３】
操作部１５０は、ユーザが、イベント写真注文システム１００に対し指示を与えるためのインタフェースである。操作部１５０は、例えば、タッチパネル、キーボード、マウスなどから構成される。以下においては、ユーザが、操作部１５０を利用して行う操作を、操作Ｕという。
【００２４】
図２は、制御部１２０の特徴的な機能構成を示すブロック図である。
【００２５】
制御部１２０は、機能的には、モード選択部１２１と、特定人物登録部１２２と、抽出部１２３と、優先条件設定部１２４と、表示順制御部１２５と、注文受付部１２６と、注文情報登録部１２７とを備える。
【００２６】
モード選択部１２１は、詳細は後述するが、写真の注文モードを選択（設定）する。特定人物登録部１２２は、詳細は後述するが、特定人物（例えば、特定人物の顔の特徴等）を登録する。抽出部１２３は、詳細は後述するが、複数の写真から、特定人物を示す写真を抽出（選択）する。優先条件設定部１２４は、詳細は後述するが、複数の後述の特定人物写真の並び順の条件を設定する。
【００２７】
表示順制御部１２５は、詳細は後述するが、特定人物写真を目立つように表示するための制御（後述の並べ替え処理）を行う。注文受付部１２６は、詳細は後述するが、注文情報を受け付ける。注文情報登録部１２７は、詳細は後述するが、注文情報を登録する。
【００２８】
なお、イベント写真注文システム１００に含まれる、モード選択部１２１、特定人物登録部１２２、抽出部１２３、優先条件設定部１２４、表示順制御部１２５、注文受付部１２６および注文情報登録部１２７の全て又は一部は、ＬＳＩ（Large Scale Integration）等のハードウエアで構成されてもよい。また、モード選択部１２１、特定人物登録部１２２、抽出部１２３、優先条件設定部１２４、表示順制御部１２５、注文受付部１２６および注文情報登録部１２７の全て又は一部は、ＣＰＵ等のプロセッサにより実行されるプログラムのモジュールであってもよい。
【００２９】
次に、イベント写真注文システム１００が行う処理（以下、写真注文処理ともいう）について説明する。
【００３０】
図３は、写真注文処理のフローチャートである。なお、イベント写真注文システム１００は、あらかじめ、サーバ２００から複数の写真を受信し、当該複数の写真を記憶部１３０に記憶しているとする。以下においては、人物を示す写真を、人物写真ともいう。
【００３１】
まず、ユーザが、表示部１１０に表示されているメニュー等を参照して、操作Ｕにより、注文モードを選択する。モード選択部１２１は、選択された注文モードを選択（設定）する（Ｓ１１０）。
【００３２】
注文モードは、通常モード、クイックモード、おまかせモード等がある。通常モードは、ユーザが時間にゆとりがあり、ゆっくり写真注文を行いたい場合に適したモードである。通常モードは、後述の並べ替え処理が行われないモードである。
【００３３】
クイックモードは、該通常モードより迅速な注文をするためのモードである。具体的には、クイックモードは、ユーザが時間にゆとりがなく、すばやく希望する写真を選択したい場合に適したモードである。
【００３４】
おまかせモードは、詳細は後述するが、注文情報登録部１２７により登録された内容を利用するモードである。具体的には、おまかせモードは２回目以降の注文時に選択可能となるモードであり、ユーザの写真注文の傾向を注文情報としてデータベース化し、それに基づき自動で写真の選択と注文を行うモードである。
【００３５】
モード選択部１２１により通常モードが選択された場合、処理はステップＳ１２０Ｎに移行する。また、モード選択部１２１によりおまかせモードが選択された場合、処理はステップＳ１３０Ａに移行する。なお、通常モードまたはおまかせモードが選択された場合の処理は後述する。
【００３６】
以下においては、クイックモードが選択されたとして説明する。
【００３７】
モード選択部１２１によりクイックモードが選択された場合、処理はステップＳ１２０に移行する。
【００３８】
ステップＳ１２０では、特定人物の特徴を登録する特定人物登録処理が行われる。特定人物は、ユーザが、登録を希望する人物である。特定人物は、例えば、ユーザの子供である。以下においては、特定人物を示す写真を特定人物写真ともいう。
【００３９】
特定人物登録処理では、まず、特定人物の認識が行われる。
【００４０】
特定人物の認識は以下のように行われる。まず、表示部１１０は、記憶部１３０に記憶されている複数の写真を表示する。この状態で、ユーザが操作Ｕにより、複数の写真のうち、特定人物を示す特定人物写真を選択する。
【００４１】
特定人物登録部１２２は、公知な顔検出技術を用いて、選択された特定人物写真が示す特定人物の顔を検出し、当該特定人物を認識する。当該顔検出技術は、例えば、特表２００４−５２７８６３号公報に開示されている、特徴抽出、肌色検出、テンプレートマッチング等を用いた技術である。
【００４２】
なお、特定人物の顔の領域の指定は、ユーザによる操作Ｕにより行われてもよい。
【００４３】
そして、特定人物登録部１２２は、特定人物の検出した顔の特徴を、記憶部１３０に記憶（登録）させる。顔の特徴は、例えば、目と鼻の相対位置、顔のサイズ、顔の向き、顔の位置、笑顔の度合い等である。これにより、特定人物の特徴が登録される。
【００４４】
なお、特定人物の認識は、上記処理に限定されない。例えば、特定人物写真が記録されており、かつ、ユーザがあらかじめ用意した記録媒体から、当該特定人物登録部１２２が特定人物写真を読み出す。そして、特定人物登録部１２２は、前述の顔検出技術を用いて、選択された特定人物写真が示す特定人物の顔を検出し、当該特定人物を認識する。なお、顔検出技術によって検出される顔の領域は縦横のサイズが同じ正方形とする。なお、検出される顔の領域は正方形に限定されず、長方形であってもよい。また、特定人物の顔の領域の指定は、ユーザによる操作Ｕにより行われてもよい。
【００４５】
ステップＳ１３０では、特定人物写真抽出処理が行われる。特定人物写真抽出処理では、抽出部１２３が、登録された特定人物の顔の特徴に基づき、記憶部１３０に記憶されている全ての写真のうち、全ての特定人物写真を抽出（選択）する。言い換えれば、抽出部１２３は、記憶部１３０に記憶されている複数の写真のうち、特定人物写真を抽出する。
【００４６】
具体的には、抽出部１２３は、記憶部１３０に記憶されている全ての写真のうち、登録された特定人物の顔の特徴と同等の特徴を有する顔を示す写真を、特定人物写真として特定し、当該特定人物写真を抽出（選択）する。特定人物写真の特定に使用される顔の特徴は、例えば、目と鼻の相対位置である。
【００４７】
ステップＳ１４０では、優先条件設定処理が行われる。優先条件設定処理では、表示部１１０が、優先条件のリストを表示する。当該優先条件は、例えば、「特定人物の顔の大きい順」、「人物の数が少ない順」等の条件である。
【００４８】
表示部１１０は、例えば、「特定人物の顔の大きい順」、「人物の数が少ない順」という優先条件をリスト表示する。この状態で、ユーザは、操作Ｕにより、優先条件を選択（指定）する。
【００４９】
これにより、優先条件設定部１２４は、選択（指定）された優先条件を、複数の特定人物写真の並び順の条件として設定する。以下においては、「特定人物の顔の大きい順」という条件を、優先条件Ａともいう。上記優先条件Ａにおいて、優先される優先項目は、例えば、顔のサイズである。
【００５０】
また、以下においては、「人物の数が少ない順」という条件を、優先条件Ｂともいう。上記優先条件Ｂにおいて、優先される優先項目は、例えば、特定人物写真が示す人物の数である。
【００５１】
なお、優先条件は、リストから選択するのではなく、ユーザが、キーボード等を用いた操作Ｕにより、直接入力してもよい。また、あらかじめ、優先条件を記憶部１３０に記憶（登録）しておけば、ステップＳ１４０は行われなくてもよい。
【００５２】
ステップＳ１４１では、表示順制御処理が行われる。表示順制御処理では、詳細は後述するが、表示順制御部１２５が、抽出された特定人物写真の数が複数である場合、該複数の前記特定人物写真を、指定された優先条件（優先項目）に従った順番に並べ替えて提示する並べ替え処理を行う。指定された優先条件とは、ユーザにより選択された優先条件である。
【００５３】
言い換えれば、表示順制御処理では、表示部１１０が、抽出された複数の特定人物写真のうち、特定人物を目立つように示す特定人物写真程、該特定人物写真を目立つように、複数の特定人物写真を並べて表示する。少し具体的には、表示順制御処理では、設定された優先条件に従った並び順（順番）で、複数の特定人物写真が表示される。
【００５４】
なお、表示順制御処理では、抽出された特定人物写真の数が１枚である場合、表示順制御部１２５は、表示部１１０に当該１枚の特定人物写真を表示させる処理を行う。この場合、前述の並べ替え処理は行われず、処理は、ステップＳ１５０に移行する。
【００５５】
ここで、ステップＳ１４０において「特定人物の顔の大きい順」という優先条件が選択されたとする。また、特定人物写真抽出処理により、図４（ａ）の特定人物写真Ｐ１１，Ｐ１２，Ｐ１３，Ｐ１４，Ｐ１５，Ｐ１６が選択されたとする。また、特定人物写真Ｐ１１〜Ｐ１６の優先度は、特定人物写真Ｐ１１，Ｐ１２，Ｐ１３，Ｐ１４，Ｐ１５，Ｐ１６の順で低くなるように、サーバ２００から指定されているとする。すなわち、特定人物写真Ｐ１１が最も優先度が高く、特定人物写真Ｐ１６が最も優先度が低い。
【００５６】
図４（ａ）は、サーバ２００から指定された優先度にしたがって各特定人物写真を配置した画像Ｇ１０を示す図である。なお、画像Ｇ１０では、左端および上端に近い特定人物写真程、当該特定人物写真の優先度が高いとする。すなわち、画像Ｇ１０の左上に配置される特定人物写真が最も優先度が高く、画像Ｇ１０の右下に配置される特定人物写真が最も優先度が低い。なお、画像Ｇ１０には、一例として、６枚の特定人物写真を配置している。すなわち、１〜６番目の優先度の特定人物写真が画像Ｇ１０に表示されている。
【００５７】
なお、特定人物写真が７枚以上あり、かつ、表示部１１０が仮に画像Ｇ１０を表示している場合、操作Ｕにより、ユーザは７番目以降の優先度の特定人物写真も順番に表示部１１０に表示させて確認できるものとする。
【００５８】
図４（ａ）および他の図では、特定人物を識別するために、説明の都合上、特定人物に、アルファベットを追記しているものがある。以下においては、アルファベット「Ａ」が追記されている特定人物を、特定人物Ａともいう。
【００５９】
ユーザは、表示部１１０が表示する画像により、特定人物写真の内容を確認し、希望する特定人物写真を選択する操作Ｕを行う。ここでは、特定人物登録処理により、特定人物Ａの特徴が登録されたとする。また、特定人物写真抽出処理により、特定人物Ａを示す６枚の特定人物写真が選択されたとする。この条件において、以下、説明する。
【００６０】
この場合、表示順制御処理では、複数の特定人物写真のうち、特定人物の顔を大きく示す特定人物写真程、該特定人物写真を目立つように表示する。具体的には、表示順制御部１２５が、「特定人物の顔の大きい順」という優先条件にしたがって、特定人物Ａの顔の大きい順に並べ替えた複数の特定人物写真を示す配置画像を生成する。当該配置画像は、特定人物Ａの顔を大きく示す特定人物写真程、該特定人物写真を目立つ位置に配置した画像である。
【００６１】
生成された配置画像では、一例として、左端および上端に近い特定人物写真程、当該特定人物写真の目立度が高いとする。ここで、目立度とは、目立つ度合いである。すなわち、配置画像内の左上に配置される特定人物写真が最も目立つとする。生成された配置画像は、例えば、図４（ｂ）の配置画像Ｇ１０Ａである。
【００６２】
そして、表示順制御部１２５は、生成した配置画像を、表示部１１０に表示させる。以上により、表示順制御部１２５は、特定人物Ａの顔の大きい順に、複数の特定人物写真を並べ替えて提示する並べ替え処理を行う。すなわち、表示順制御部１２５は、優先項目である、特定人物Ａの顔のサイズに基づいて、複数の特定人物写真を並べ替えて提示する並べ替え処理を行う。
【００６３】
なお、配置画像において、左端および上端に近い特定人物写真程、当該特定人物写真の目立度が高いとしたがこれに限定されない。例えば、配置画像において、右端および上端に近い特定人物写真程、当該特定人物写真の目立度が高いとしてもよい。すなわち、配置画像において、右上に配置される特定人物写真が、最も目立つとしてもよい。
【００６４】
次に、ステップＳ１４０において「人物の数が少ない順」という優先条件が設定（選択）された場合の表示順制御処理について説明する。
【００６５】
ここで、特定人物写真抽出処理により、図５（ａ）の特定人物写真Ｐ２１，Ｐ２２，Ｐ２３，Ｐ２４，Ｐ２５，Ｐ２６が選択されたとする。また、特定人物写真Ｐ２１〜Ｐ２６の優先度は、特定人物写真Ｐ２１，Ｐ２２，Ｐ２３，Ｐ２４，Ｐ２５，Ｐ２６の順で低くなるように、サーバ２００から指定されているとする。すなわち、特定人物写真Ｐ２１が最も優先度が高く、特定人物写真Ｐ２６が最も優先度が低い。
【００６６】
図５（ａ）は、サーバ２００から指定された優先度にしたがって各特定人物写真を配置した画像Ｇ２０を示す図である。なお、画像Ｇ２０では、前述の画像Ｇ１０と同様、左端および上端に近い特定人物写真程、当該特定人物写真の優先度が高いとする。また、特定人物登録処理により、特定人物Ａの特徴が登録されたとする。また、特定人物写真抽出処理により、特定人物Ａを示す６枚の特定人物写真Ｐ２１〜Ｐ２６が選択されたとする。
【００６７】
この場合、表示順制御処理では、複数の特定人物写真のうち、人物の数を少なく示す特定人物写真程、該特定人物写真を目立つように、複数の特定人物写真を並べて表示する。具体的には、表示順制御部１２５が、「人物の数が少ない順」という優先条件にしたがって、人物の数が少ない順に、前記複数の特定人物写真を並べ替えた複数の特定人物写真を示す配置画像を生成する。当該配置画像は、人物の数を少なく示す特定人物写真程、該特定人物写真を目立つ位置に配置した画像である。生成された配置画像は、例えば、図５（ｂ）の配置画像Ｇ２０Ａである。
【００６８】
そして、表示順制御部１２５は、生成した配置画像Ｇ２０Ａを、表示部１１０に表示させる。以上により、表示順制御部１２５は、特定人物写真が示す人物の数が少ない順に、複数の特定人物写真を並べ替えて提示する並べ替え処理を行う。すなわち、表示順制御部１２５は、優先項目である、特定人物写真が示す人物の数に基づいて、複数の特定人物写真を並べ替えて提示する並べ替え処理を行う。
【００６９】
図４および図５を用いて説明したように、表示順制御処理では、ユーザが選択した優先条件にしたがった並び順で、複数の特定人物写真を並べて表示する。言い換えれば、表示順制御処理では、抽出された特定人物写真の数が複数である場合、該複数の特定人物写真を、指定された優先項目に従った順番に並べ替えて提示する並べ替え処理を行う。言い換えれば、表示順制御処理では、複数の特定人物写真のうち、特定人物を目立つように示す特定人物写真程、該特定人物写真を目立つように、複数の特定人物写真を並べて表示する。これにより、ユーザ（例えば、子供の親）は、すべての写真を確認しなくても、特定人物を目立つように示す特定人物写真を迅速に見つけることができる。特定人物を目立つように示す特定人物写真とは、特定人物（例えば、子供）の写りのよい、ユーザが所望する特定人物写真である。
【００７０】
図４（ｂ）の配置画像Ｇ１０Ａでは、顔を大きく示す特定人物写真程、特定人物（例えば、子供）の表情がよく捉えられ、特定人物の写りがよいものである可能性が高い。
【００７１】
図５（ｂ）の配置画像Ｇ２０Ａでは、人物の数を少なく示す特定人物写真程、特定人物（例えば、子供）が主たる被写体として写っている可能性が高い。
【００７２】
再び、図３を参照して、ステップＳ１５０では、注文受付処理が行われる。
【００７３】
注文受付処理では、注文受付部１２６が、並べ替えて提示された複数の特定人物写真から所望の写真の注文を受け付ける。少し具体的には、表示部１１０が表示する複数の特定人物写真を参照したユーザが、特定人物写真の注文を行うための操作Ｕを行った場合、注文受付部１２６は、当該注文を受け付ける。
【００７４】
ここで、例えば、表示順制御処理により、表示部１１０が図５（ｂ）の配置画像Ｇ２０Ａを表示しているとする。また、ユーザは、特定人物写真Ｐ２６を選択するとともに、特定人物写真Ｐ２６を３枚注文する操作Ｕを行ったとする。
【００７５】
この場合、注文受付部１２６は、選択された特定人物写真Ｐ２６と、特定人物写真Ｐ２６の注文枚数（３枚）と、選択（設定）された優先条件と、人物情報とを示す情報を、注文情報として受け付ける。すなわち、注文情報は、選択された特定人物写真と、特定人物写真の注文枚数と、選択（設定）された優先条件と、人物情報とを示す。
【００７６】
人物情報とは、選択された特定人物写真が示す特定人物を含む人物の数、特定人物の特徴等である。当該特定人物の特徴とは、当該特定人物の顔のサイズ、特定人物の顔の向き、特定人物の顔の位置、特定人物の笑顔の度合い、目と鼻の相対位置等である。
【００７７】
すなわち、注文情報は、ユーザが注文する写真の特徴（傾向）を示す情報である。そのため、注文情報は、再度、同じユーザが注文した場合、当該ユーザが手間をかけずに確実に希望の写真の注文を行うために利用される情報である。
【００７８】
ステップＳ１６０では、注文情報登録処理が行われる。注文情報登録処理では、注文情報登録部１２７が、注文受付部１２６が受け付けた注文情報（注文の内容）を、記憶部１３０に記憶（登録）させる。注文情報登録部１２７は、注文情報（注文の内容）を登録する登録部である。
【００７９】
なお、ユーザが、特定人物写真の注文を行うための操作Ｕを行う毎に、注文情報登録処理が行われる。この場合、注文情報登録部１２７は、ユーザによる特定人物写真の注文がある毎に、該注文の内容（注文情報）を登録する。
【００８０】
特定人物写真の注文が複数回行われると、注文情報登録処理が複数回行われる。これにより、複数の注文情報から構成される注文情報データベースが構築される。当該注文情報データベースは、記憶部１３０に記憶される。
【００８１】
以上により、写真注文処理が終了する。
【００８２】
なお、ステップＳ１１０において、通常モードが選択された場合、処理はステップＳ１２０Ｎに移行する。ステップＳ１２０Ｎでは、前述したステップＳ１２０の特定人物登録処理が行われる。ステップＳ１３０Ｎでは、前述したステップＳ１３０の特定人物写真抽出処理が行われる。
【００８３】
そして、通常表示処理（Ｓ１４１Ｎ）により、サーバ２００から指定された優先度にしたがった順序で、複数の特定人物写真を配置した通常配置画像を、表示部１１０は表示する。通常配置画像は、例えば、図４（ａ）の画像Ｇ１０である。すなわち、通常モードでは、クイックモードよりも、ユーザが特定人物写真を見つけるのに時間を要する。
【００８４】
その後、前述したステップＳ１５０の処理において、ユーザは、希望する特定人物写真を選択し、注文枚数を設定して、注文を行う。その後、ステップＳ１６０により、前述のように注文情報が登録される。
【００８５】
次に、ステップＳ１１０において、おまかせモードが選択された場合の処理について説明する。前述したように、おまかせモードは２回目以降の注文時に選択可能となるモードである。
【００８６】
おまかせモードは、ユーザの実際の注文傾向に基づき、写真を注文するモードである。おまかせモードは、少し具体的には、イベント写真注文システム１００が、注文情報データベースが示すユーザの過去の注文情報に基づき、注文する写真を自動で選択し、注文枚数を設定して、自動で注文を行うモードである。
【００８７】
ここで、前述の注文情報登録処理が複数回行われることにより、記憶部１３０に、複数の注文情報から構成される注文情報データベースが記憶されているとする。注文情報データベースは、例えば、図６の注文情報データベースＤ１０である。各注文情報は、注文情報データベースＤ１０の各行の情報に対応する。
【００８８】
図６において、「写真番号」とは、登録された特定人物を示す特定人物写真を識別するための番号である。なお、図６では、「写真番号」は、重複しない複数の番号が示されているが、実際には同じ写真番号が複数ある。「顔占有サイズ」とは、特定人物写真のサイズに対する、当該特定人物写真が示す特定人物の顔のサイズの割合である。
【００８９】
顔占有サイズ（Ｓｉｚｅ）は、例えば、以下の式１により算出される。
Ｓｉｚｅ=Ｆ／Ｐ×１００（％）      …（式１）
式１において、Ｆは、特定人物登録処理で行われる顔検出技術によって検出された顔の領域において、特定人物写真の長辺に沿った方向のサイズの画素数である。Ｐは、特定人物写真の長辺の画素数である。顔検出技術によって検出される顔の領域は縦横のサイズが同じ正方形とする。なお、検出される顔の領域は正方形に限定されず、長方形であってもよい。
【００９０】
なお、顔占有サイズは、上記式１により算出される値に限定されず、例えば、特定人物登録処理で行われる顔検出によって検出された顔のサイズそのものであってもよい。
【００９１】
図６において、「人数」とは、特定人物写真が示す特定人物を含む人物の数である。「顔の向き」とは、特定人物写真が示す特定人物の顔の向きである。顔の向きは、上記の顔検出技術により算出される。正面を０度として、例えば、特定人物の顔が、左右に何度傾いているかを示す。「顔の位置」とは、特定人物写真内における、特定人物の顔の位置である。
【００９２】
例えば、図７に示すように、特定人物写真を、横方向において１０個の領域に分割する。分割された当該１０個の領域は、領域２３ａ，２３ｂ，２４ａ，２４ｂ，２５ａ，２５ｂ，２６ａ，２６ｂ，２７ａ，２７ｂである。
【００９３】
分割された各領域は、特定人物写真の中心を示す矢印２２に近い領域から順に、領域０，１，２，３，４と表記する。すなわち、領域２３ａ，２３ｂは、領域０と表記する。領域２４ａ，２４ｂは、領域１と表記する。領域２５ａ，２５ｂは、領域２と表記する。領域２６ａ，２６ｂは、領域３と表記する。領域２７ａ，２７ｂは、領域４と表記する。
【００９４】
この場合、図６の「顔の位置」は、特定人物の顔の中心の位置を含む領域を示す。例えば、図７の場合、特定人物を、「Ａ」を示す人物とすると、特定人物の顔の中心は領域２（領域２５ｂ）に含まれる。そのため、「顔の位置」は“２”となる。
【００９５】
再び、図６を参照して、「笑顔度」とは、特定人物の笑顔の度合いである。笑顔度は、例えば、公知な顔認証技術を用いて判定される。例えば、最も笑顔の度合いが大きい場合の笑顔度を１００とする。笑顔度は、０から１００の値で示す。
【００９６】
図６の「シーン番号」とは、特定人物写真に関係するイベントにおけるシーンを識別するための番号である。例えば、特定人物写真に関係するイベントが運動会である場合、シーン番号１は開会式を示し、シーン番号２は玉入れを示し、シーン番号３は綱引きを示す。この場合、シーン番号は、競技毎のシーンを識別するための番号である。
【００９７】
図６の「注文枚数」とは、実際に、ユーザが注文した各特定人物写真の枚数である。
【００９８】
なお、図６の注文情報データベースＤ１０を構成する各注文情報には、図６に示されない目と鼻の相対位置、優先条件等も示される。
【００９９】
再び、図３を参照し、おまかせモードが選択された場合、処理は、ステップＳ１３０Ａに移行する。
【０１００】
そして、ユーザの操作を必要とせずに、ステップＳ１３０Ａ，Ｓ１４０Ａ，Ｓ１４１Ａ，Ｓ１５０Ａの処理が順に、自動で行われる。
【０１０１】
ステップＳ１３０Ａでは、特定人物写真抽出処理Ａが行われる。特定人物写真抽出処理Ａでは、抽出部１２３が、注文情報データベースが示す特定人物の顔の特徴に基づき、記憶部１３０に記憶されている全ての写真のうち、全ての特定人物写真を選択する。なお、特定人物写真抽出処理Ａにおける特定人物写真の特定の方法は、ステップＳ１３０の特定人物写真抽出処理と同様であるので詳細な説明は繰り返さない。
【０１０２】
ステップＳ１４０Ａでは、優先条件設定処理Ａが行われる。優先条件設定処理Ａでは、優先条件設定部１２４が、優先条件を、複数の特定人物写真の並び順の条件として設定する。なお、優先条件設定処理Ａにおいて設定される優先条件は、例えば、注文情報データベースにおいて、最も数が多い優先条件である。
【０１０３】
ステップＳ１４１Ａでは、表示順制御処理が行われる。当該表示順制御処理は、ステップＳ１４１の表示順制御処理と同様なので詳細な説明は繰り返さない。ステップＳ１３０Ａ〜Ｓ１４１Ａの処理により、表示順制御部１２５は、登録されている過去の注文情報（注文の内容）にしたがって、複数の特定人物写真を並べ替えて提示する並べ替え処理を行う。
【０１０４】
ステップＳ１５０Ａでは、注文受付処理Ａが行われる。注文受付処理Ａでは、注文受付部１２６は、注文する特定人物写真を選択する。特定人物写真は、例えば、注文情報データベースにおいて、最も注文回数が多い特定人物写真が選択される。また、注文受付部１２６は、選択した特定人物写真の注文枚数を設定する。注文枚数は、例えば、注文情報データベースが示す複数の注文枚数の平均値の整数部分の値である。
【０１０５】
そして、注文受付部１２６は、選択された特定人物写真と、当該特定人物写真の注文枚数と、設定された優先条件と、人物情報とを示す情報を、注文情報として受け付ける。人物情報は、ステップＳ１５０の処理において説明したので、詳細な説明は繰り返さない。そして、前述のステップＳ１６０の注文情報登録処理が行われる。これにより、注文情報データベースが更新される。
【０１０６】
以上のように、おまかせモードでは、イベント写真注文システム１００が、注文情報データベースを用いて、注文内容を分析する。これにより、ユーザの注文の傾向をパターン化し、ユーザに適切な写真を選択して提示したり、ユーザの好みに合った写真を自動で注文することができる。
【０１０７】
なお、おまかせモードにおける処理は、上記処理に限定されない。例えば、特定人物を示す写真はすべて注文してもよい。また、例えば、顔占有サイズが、所定値以上の写真はすべて注文としてもよい。また、例えば、特定人物が、写真の中心に写っている写真はすべて注文してもよい。また、例えば、同一シーンの写真は１枚ずつ発注してもよい。同一シーンとは、例えば、運動会の玉入れ、綱引きなどの各競技毎のシーンである。
【０１０８】
なお、同一シーンの写真の検出は、類似画像検出技術を用いて行われる。類似画像検出技術は、前述の顔検出技術と同様、特表２００４−５２７８６３号公報に開示されている、特徴抽出、テンプレートマッチング等の様々な公知の手法を用いた技術である。なお、写真に、当該写真が撮影された時間が付加されている場合は、同一シーンの写真の検出において、撮影された時間も用いてもよい。
【０１０９】
なお、注文受付時に、おまかせモードのイベント写真注文システム１００は、選択された写真と注文枚数等の注文内容を、表示部１１０に表示してもよい。これにより、ユーザは、選択された写真と注文枚数等の注文内容を、確認することができる。また、注文内容を変更したい場合、ユーザは、操作Ｕにより変更することができる。
【０１１０】
このように、実施の形態１に係るイベント写真注文システム１００は、はじめてイベント写真注文システム１００を使用する場合には、特定人物の顔などの特徴を登録する必要がある。しかしながら、一度、特徴を登録すると、次回、以降は、登録された注文情報を用いて、注文の受付を行うことができる。
【０１１１】
また、ユーザが注文する写真の傾向と、注文枚数も登録するので、次回以降、注文すべき写真を、適切な枚数だけ自動で提示することも可能となる。
【０１１２】
以上説明したように、実施の形態１に係るイベント写真注文システム１００は、子供等の特定人物の顔の特徴を登録し、特定人物を示す特定人物写真を抽出する。そして、イベント写真注文システム１００は、ユーザが希望する優先条件に従った並び順で、抽出された複数の特定人物写真を並べ替えて提示する。
【０１１３】
これにより、ユーザは、すべての写真の内容を確認する必要がなく、子供等の特定人物を示す特定人物写真を迅速に見つけることができる。その結果、ユーザは、子供等の特定人物の写りのよい写真をすばやく選択し、当該写真を注文することができる。
【０１１４】
なお、従来では、以下のような課題があった。例えば、従来技術Ａでは、インターネットを利用して写真を注文する。そのため、長時間の接続は通信料金もかかり、また、途中で通信障害が発生する可能性も高くなる。通信障害が発生した場合、はじめから注文のやり直しが必要となりスムーズに注文できない。すなわち、従来技術Ａでは、迅速な注文ができないという課題がある。
【０１１５】
また、従来では、写真データを保管するサーバの容量に限りがある場合や、業務の効率化のため、イベント毎の写真購入期間を設定する必要があった。ここで、ユーザが設定された期間内に注文する時間が取れないとする。この場合、ユーザは、そのイベントの写真を１枚も購入できずに終わってしまう。その結果、写真店等のインターネットによる写真注文サービスを提供する側は、写真を注文したい顧客がいるのに受注の機会を逃してしまうという課題がある。
【０１１６】
実施の形態１に係るイベント写真注文システム１００は、上記構成により、従来の上記課題を解決できる。
【０１１７】
また、１度、ユーザからの注文を受け付け、注文情報を登録しておくと、２回目以降の注文の際には、登録された注文情報を用いて、注文の受付を行うことができる。そのため、特定人物の登録が不要となる。
【０１１８】
また、特定人物写真を並べるための優先条件や、注文枚数も登録されるので、ユーザの注文傾向に応じた、注文すべき写真を、適切な枚数だけ自動でユーザに提示することが可能となる。その結果、ユーザは、さらに手間なく、すばやく、特定人物の写りのよい写真を選択し、当該写真を注文することができる。
【０１１９】
さらに、おまかせモードでは、自動でユーザの注文の傾向に従った注文を行うことができる。これにより、ユーザは、注文する時間がない場合も、注文し損なうことなく、確実に各イベントの写真を注文することができる。
【０１２０】
＜実施の形態１の変形例＞
実施の形態１では、優先条件が、優先条件Ａまたは優先条件Ｂである場合の処理について説明した。優先条件Ａは、「特定人物の顔の大きい順」という条件である。優先条件Ｂは、「人物の数が少ない順」という条件である。しかしながら、使用される優先条件は１種類でなく、複数種類の優先条件を組み合わせた条件であってもよい。
【０１２１】
また、特定人物写真の特徴を示す複数の項目を利用して、複数の特定人物写真の並び順の条件（優先条件）を決めてもよい。以下においては、特定人物写真の特徴を示す複数の項目のうち、優先する項目を、優先項目ともいう。
【０１２２】
本実施の形態の変形例では、複数の優先項目をパラメータ化して、スコアを算出し、当該スコアに基づいた優先条件を、複数の特定人物写真の並び順の条件とする。当該スコアは、特定人物写真の並び順の優先度を決めるためのものである。
【０１２３】
本実施の形態の変形例における写真注文処理は、図３のステップＳ１４０，Ｓ１４０Ａの各々を、ステップＳ１４０Ｂに置き換えた処理である。なお、ステップＳ１４０Ｂ以外の図３の処理は、実施の形態１で説明した処理と同様なので詳細な説明は繰り返さない。
【０１２４】
ステップＳ１４０Ｂでは、優先条件設定処理Ｂが行われる。優先条件設定処理Ｂでは、詳細は後述するが、優先条件設定部１２４が、複数の前記優先項目を用いて、各前記特定人物写真が示す特徴を数値（スコア）として算出する。すなわち、優先条件設定部１２４は、数値（スコア）を算出する算出部である。そして、優先条件設定部１２４は、算出された各数値（スコア）を用いて、選択された複数の特定人物写真を並べて表示するための優先条件を設定する。
【０１２５】
ここで、一例として、優先条件のためのスコアの算出に使用される優先項目は、例えば、前述の顔占有サイズ、特定人物写真が示す人物の数（人数）の２つとする。この場合、例えば、特定人物写真に対応する顔占有サイズおよび人数をパラメータ化し、ある演算式にしたがってスコアを算出する。
【０１２６】
次に、スコアを算出する例を説明する。ここでは、一例として、図６の注文情報データベースＤ１０を用いるとする。
【０１２７】
図８は、顔占有サイズをパラメータ化するためのパラメータテーブルＴ１１である。図８において、「顔占有サイズ」は、前述した図６の顔占有サイズである。なお、顔占有サイズの算出方法は、前述したので詳細な説明は繰り返さない。
【０１２８】
ＰＳｉｚｅは、顔占有サイズをパラメータ化したスコアである。スコアＰＳｉｚｅは、０〜１の実数で表現される。スコアＰＳｉｚｅは、各顔占有サイズの値に対し設定される。具体的には、スコアＰＳｉｚｅは、顔占有サイズの値が小さくなるほど、小さい値が設定される。
【０１２９】
図９は、人数をパラメータ化するためのパラメータテーブルＴ１２である。図９において、「人数」は、特定人物写真が示す人物の数（人数）である。
【０１３０】
ＰＮｕｍｂｅｒは、人数をパラメータ化したスコアである。スコアＰＮｕｍｂｅｒは、０〜１の実数で表現される。スコアＰＮｕｍｂｅｒは、各人数に対し設定される。具体的には、スコアＰＮｕｍｂｅｒは、人数が多いほど、小さい値が設定される。
【０１３１】
上記パラメータテーブルＴ１１，Ｔ１２の各スコアＰＳｉｚｅおよびＰＮｕｍｂｅｒを加算して、各特定人物写真のスコアＳＣを、以下の式２により算出する。スコアＳＣの値は実数で算出される。
【０１３２】
ＳＣ＝Ｐｓｉｚｅ＋ＰＮｕｍｂｅｒ  …（式２）
優先条件設定処理Ｂでは、まず、優先条件設定部１２４が、選択された複数の特定人物写真の各々に対し、スコアＳＣを算出する。次に、優先条件設定部１２４は、「スコアＳＣの値が大きい特定人物写真程目立たせる」という優先条件を、複数の特定人物写真の並び順の条件として設定する。
【０１３３】
例えば、ある特定人物写真において、顔占有サイズが５０であり、当該特定人物写真が示す人数が３人であるとする。この場合、パラメータテーブルＴ１１よりＰＳｉｚｅは０．８である。また、パラメータテーブルＴ１２よりＰＮｕｍｂｅｒは０．８である。したがって、式２より、スコアＳＣは、０．８＋０．８＝１．６と算出される。
【０１３４】
なお、スコアＳＣの算出に用いる式は、式２に限定されない。例えば、式２において、ＰｓｉｚｅおよびＰＮｕｍｂｅｒの各々に、各優先項目の重要度を加味した重み係数を乗じてもよい。
【０１３５】
優先条件設定処理Ｂの後、実施の形態１で説明したステップＳ１４１の表示順制御処理が行われる。この処理により、表示順制御部１２５は、算出された各数値（スコアＳＣ）にしたがって前述の並べ替え処理を行う。例えば、表示順制御部１２５は、算出された各数値（スコアＳＣ）を用いて、スコアＳＣの値が大きい特定人物写真程目立つように、選択された複数の特定人物写真を並べて表示する並べ替え処理を行う。
【０１３６】
すなわち、表示部１１０は、選択された複数の特定人物写真のうち、特定人物を目立つように示す特定人物写真程、該特定人物写真を目立つように、複数の特定人物写真を並べて表示する。
【０１３７】
以上説明したように、本実施の形態の変形例によれば、複数の優先項目を用いて、各特定人物写真の特徴をスコアとして算出する。そして、スコアＳＣの値が大きい特定人物写真程目立つように、複数の特定人物写真を並べて表示する。
【０１３８】
これにより、特定人物の特徴をより反映させて、複数の特定人物写真を並べて表示することができる。これにより、ユーザは、さらに、迅速に、特定人物写真を迅速に見つけることができる。
【０１３９】
なお、本実施の形態の変形例では、優先条件設定処理Ｂ以外においては、実施の形態１と同様な処理が行われるので、実施の形態１と同様な効果を得ることができる。
【０１４０】
なお、本実施の形態の変形例は、スコアＳＣの算出に使用される優先項目を２項目とした場合について説明したが、これに限定されず、優先項目の数は、３以上であってもよい。
【０１４１】
また上述では、スコアＳＣの算出に使用される優先項目は、例えば、特定人物が写っている位置、図６を用いて説明した顔の向きおよび笑顔度等であってもよい。
【０１４２】
例えば、使用する優先項目を、特定人物が写っている位置とした場合、特定人物の位置が、写真の中心に近いほど優先順位を高く設定する。また、使用する優先項目を、顔の向きとした場合、顔が正面を向いているほど優先順位を高く設定する。また、使用する優先項目を、笑顔度とした場合、笑顔度が大きいほど優先順位を高く設定する。このようにすることで、特定人物の写りのよい写真順に提示するようにする。
【０１４３】
（その他の変形例）
以上、本発明に係るイベント写真注文システムについて、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０１４４】
例えば、目を瞑っていたり、赤目になっている写真（画像）は除外して、表示部１１０が表示する写真を、写りのよい写真だけに絞ってもよい。この場合、余分な写真の内容を確認する必要がなくなり、注文をさらにすばやく行うことができるようになる。
【０１４５】
また、上記においては、写真の種類について、特に区別せず説明したが、写真の種類を考慮してもよい。例えば、通常のスナップ写真の他、集合写真など写真の種類別に、注文情報データベースを設定してもよい。そして、注文情報の条件をそれぞれに適した条件にしてもよい。
【０１４６】
従来の写真注文システムでは、写真の種類別に写真選択メニューを区別している場合が多い。そこで、本発明も写真の種類別に条件を設定するようにしてもよい。例えば、通常の少人数のスナップ写真および集合写真の各々において、特定人物の顔のサイズ、写真に写っている人数等を設定するよう、データベースを個別に設定する。これにより、さらに適切に写真の提示、および自動注文を行うことができる。
【０１４７】
また、イベント写真注文システム１００は、サーバ２００から受信した複数の写真を処理するとしたがこれに限定されない。イベント写真注文システム１００が処理する複数の写真は、例えば、記憶部１３０にあらかじめ記憶されていてもよい。
【０１４８】
また、イベント写真注文システム１００および制御部１２０は、図１または図２に示される全ての構成要素を含まなくてもよい。すなわち、イベント写真注文システム１００は、本発明の効果を実現できる最小限の構成要素のみを含めばよい。例えば、制御部１２０は、抽出部１２３のみを含む構成であってもよい。また、イベント写真注文システム１００は、表示部１１０と、抽出部１２３のみを含む構成であってもよい。
【０１４９】
また、本発明は、イベント写真注文システム１００が備える特徴的な構成部の動作をステップとするイベント写真注文方法として実現してもよい。また、本発明は、そのようなイベント写真注文方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１５０】
上記実施の形態で用いた全ての数値は、本発明を具体的に説明するための一例の数値である。すなわち、本発明は、上記実施の形態で用いた各数値に制限されない。
【０１５１】
また、本発明に係るイベント写真注文方法は、図３の写真注文処理の一部または全てに相当する。本発明に係るイベント写真注文方法は、図３における、対応する全てのステップを必ずしも含む必要はない。すなわち、本発明に係るイベント写真注文方法は、本発明の効果を実現できる最小限のステップのみを含めばよい。例えば、本発明に係るイベント写真注文方法は、図３のステップＳ１３０，Ｓ１４０，Ｓ１４１のみで構成されてもよい。
【０１５２】
また、イベント写真注文方法における各ステップの実行される順序は、本発明を具体的に説明するための一例であり、上記以外の順序であってもよい。また、イベント写真注文方法におけるステップの一部と、他のステップとは、互いに独立して並列に実行されてもよい。
【０１５３】
なお、本発明は、その発明の範囲内において、実施の形態、実施の形態の変形例を自由に組み合わせたり、実施の形態、実施の形態の変形例を適宜、変形、省略することが可能である。
【産業上の利用可能性】
【０１５４】
本発明は、特定人物を示す写真を迅速に見つけることを可能とするイベント写真注文システムとして、利用することができる。
【符号の説明】
【０１５５】
１００  イベント写真注文システム、１１０  表示部、１２０  制御部、１２１  モード選択部、１２２  特定人物登録部、１２３  抽出部、１２４  優先条件設定部、１２５  表示順制御部、１２６  注文受付部、１２７  注文情報登録部、１３０  記憶部。
【図１】
0005950600.tif 000002
【図２】
0005950600.tif 000003
【図３】
0005950600.tif 000004
【図４】
0005950600.tif 000005
【図５】
0005950600.tif 000006
【図６】
0005950600.tif 000007
【図７】
0005950600.tif 000008
【図８】
0005950600.tif 000009
【図９】
0005950600.tif 000010